(57)【要約】      （修正有）【課題】足先の開口部を大きく足全体として美しいラインを描くように形成するとともに、足裏の相当部分を開口させて滑りにくくしたストッキングを提供する。【解決手段】本考案のストッキング１は、足先部分において隣接して設けられた少なくとも２つの開口部１１，１２を具え、これらのうち最も右側および最も左側の開口部の側部外側端縁１１ａ，１２ａをそれぞれ足指の付け根よりかかと側に切り欠き、着用時に足がきれいに見えるようにする。また、いずれかの開口部を足裏側に大きく開口させ、足の裏が直接中敷きや床面に触れるようにしてスリップを防止する。【選択図】図２
0003117585.tif 000002
【実用新案登録請求の範囲】
【請求項１】
足先部分において隣接して設けられた少なくとも２つの開口部を具え、これらのうち最も右側および最も左側の開口部の側部外側端縁が装着時にそれぞれ足指の付け根部分よりかかと側にあるとともに、前記開口部の１つの足裏側の端縁がかかと側に大きく開口していることを特徴とするストッキング。
【請求項２】
請求項１に記載のストッキングにおいて、前記開口部の数が２つであり、一方の開口部は親指露出用で他方の開口部は残りの指の露出用であることを特徴とするストッキング。
【請求項３】
請求項１または２に記載のストッキングにおいて、左右対称に構成された両足部分と、これらを連結するパンティ部分を具えるパンティストッキングであることを特徴とするストッキング。
【考案の詳細な説明】
【技術分野】
【０００１】  本考案はストッキングに関し、特に、つま先に開口部を持たせたストッキングに関する。
【背景技術】
【０００２】  従来のストッキングは一般につま先部分が袋状に閉塞されており、足先をすっぽり包み込む構造であった。この種のストッキングでは足指がすべて一纏めに包み込まれるため、サンダルやミュールといった足先を見せるタイプの履き物に適さなかった。また、足の爪にペディキュアを施した場合にも上記のストッキングを着用すると隠れてしまい露出できない不都合があった。さらに、ストッキングを着用すると足裏が滑るため、ヒールの高い靴を履いた場合には足がつま先方向へと滑り、この部分に過度に負荷がかかるといった問題や、靴を脱いだ場合に平滑な床面上で滑って転倒する危険があった。また、ストッキング内の湿気を逃がすことができず足先が蒸れてしまうという問題もあった。【０００３】  ストッキングによる足裏の滑りを防止するため、足裏部分に滑り止めを設けたストッキングが提案されている（例えば、特許文献１〜３）。また、足裏部分に孔を設けて滑りにくくしたパンティーストッキングが提案されている（例えば、特許文献４）。また、つま先部を３つ以上に分割して開口し、ペディキュアを見せたり鼻緒付きの履き物に対応させたパンティストッキングが提案されている（例えば、特許文献５）【０００４】
【特許文献１】  特開２００２−２０１５０２号公報
【特許文献２】  特開２００１−１８１９０５号公報
【特許文献３】  特開２０００−２８２３０３号公報
【特許文献４】  実用新案登録第３０６８１０８号公報
【特許文献５】  実用新案登録第３０５５７３９号公報
【考案の開示】
【考案が解決しようとする課題】
【０００５】  しかしながら、例えば特許文献５に記載のパンティストッキングでは、その添付図面に示されるように開口部が足指の付け根から足先方向に開口しており、足先の指のみが露出する構成となっている。一方で足は前後に長細いアーチ型をなす形状であり、足指のみを露出する構成では露出されない部分と露出部分のバランスが悪く足全体としてのデザインが美しくならないという問題がある。また、このストッキングは指以外の足裏部分が全部ストッキング生地で覆われることになり、前述した滑りやすいという問題が残る。また、つま先の開口部は足指の付け根にフィットするため、足裏部分の湿気を開口部から外に逃がすことができず、足が蒸れてしまうという問題もある。【０００６】  本考案はこのような問題に鑑みなされたものであり、足先の開口部を大きく足全体として美しいラインを描くように形成するとともに、足裏の相当部分を露出させて滑りにくくしたストッキングを提供することを目的とし、本考案によれば、サンダルやミュールを履く場合にも足先を美しく見せることができる。
【課題を解決するための手段】
【０００７】  本考案に係るストッキングは、足先部分において隣接して設けられた少なくとも２つの開口部を具え、これらのうち最も右側および最も左側の開口部の側部外側端縁が装着時にそれぞれ足指の付け根よりかかと側にあるとともに、前記開口部の１つの足裏側の端縁がかかと側に大きく開口していることを最も主要な特徴とする。【０００８】  このストッキングにおいて、前記開口部の数が２つであり、一方の開口部は親指露出用で他方の開口部は残りの指の露出用として構成することができる。【０００９】  このストッキングは、左右対称に構成された両足部分と、これらを連結するパンティ部分を具えるパンティストッキングとしてもよい。
【考案の効果】
【００１０】  本考案のストッキングでは、足の左右両側部に位置する開口部の外側端縁がそれぞれ足指の付け根よりかかと側にあるため、後に図面を参照して説明するように、ストッキングと足の境界ラインが例えば鼻緒のように足に対して斜め方向に延在することとなり、露出部分と露出しない部分のバランスがよくなり着用時の外観品質が向上する。また、ストッキングと足の境界ラインが鼻緒のようになるため、鼻緒が付いた履き物を履く場合に前記境界ラインが好適に隠れることとなり、履き物着用時の足先をきれいに見せることができる。また、足指を足の甲部分から大きく露出する構成であるため、鼻緒式でないサンダルやミュールの場合であっても、足先をきれいに見せることができる。さらに、開口部を大きく構成しているため、足の湿気を好適に逃がすことができ足の蒸れが防止される。【００１１】  また、いずれかの開口部を足裏側に大きく延在させた構成とすることにより足裏の相当部分が露出し、特に高いヒールの履き物を履く場合や履き物を脱いで歩く場合などに滑ってしまうのを防止することができる。
【考案を実施するための最良の形態】
【００１２】  本考案を実施するための最良の形態を、添付の図面を参照しながら以下に詳細に説明する。
【実施例１】
【００１３】  図１は、本考案の第１実施例にかかるストッキングの足先部分の構成を示す図である。本図に示すように、ストッキング１の足先部分には２つの開口部１１，１２が設けられている。これらの開口部１１，１２は足先部分において隣接している。第１の開口部１１は親指露出用であり比較的小さく構成され、第２の開口部１２は残る指の露出用であって大きく構成されている。したがって、図１に示すストッキング１は右足用の足先部分である。開口部１１，１２はともに、図１に１１ａ，１２ａとして示すその外側端縁が若干斜め方向後側（足のかかと側）に延在している。また、開口部１２ａの足裏側の部分は、図１に点線で示すように、足裏部分においてかかと側に大きく延在している。【００１４】  このストッキング１は片足ずつ個別に構成されるものであってもよいし、両足部分とこれらを連結するパンティ部分を具えるパンティストッキングとして構成されてもよい。また、片足ずつ別個に構成される場合は、ふくらはぎまでの高さの短いストッキングとして形成してもよいし、足の付け根辺りまで延在する長いストッキングとして形成してもよい。開口部その他の端縁はほつれないよう端部処理がされているものとし、適宜の部分の伸縮性を変化させた構造としてもよい。これらの要素は従来のストッキングにおいて公知であるため、本明細書での詳細な説明は省略する。また、開口部の端縁に幅１ｃｍ程度のレース帯を設けてデザイン性を向上させるようにするのが好適である。【００１５】  図２は、このストッキング１を着用した足を前から見た図である。本図に示すように、第１の開口部１１からは親指が出され、第２の開口部１２からは人差し指、中指、薬指、小指が出される。開口部１１，１２を隔てる端縁１３は親指と人差し指の付け根に配置される。開口部１１，１２の外側端縁１１ａ，１１ｂは足の側部においてかかと側に延在している。したがって、開口部１１，１２が斜め後ろ方向に大きく切り欠かれたような形状となり、足指が足の甲部分から大きく露出され、ストッキング１が端縁１３の部分において鼻緒でとまっているような外観となる。このように開口部１１，１２を斜めに延在させることにより、足指が長く見えるようになり、着用時の足先をきれいに見せることができる。また、ペディキュアを施している場合にも十分に露見させることができる。さらに、開口部を大きくとっているため足の湿気を逃がし蒸れが防止される。【００１６】  図３は、ストッキング１を着用した状態の足裏を示す図である。本図に示すように、開口部１２の足裏側は大きくかかと側に延在しており、特にヒールのあるサンダルやミュール等を履いた場合に荷重がかかる足裏の前側部分が大きく露出している。これにより、足の裏が直接靴の中敷きや床面に触れるためスリップが防止され、靴に無理な荷重がかかったり足下が滑ることによる転倒を防止することができる。【００１７】  なお、ストッキング１において、開口部１１，１２の形状や大きさは本実施例のものに限らず、本考案のコンセプトを超えない範囲内において適宜の変更を施すことができる。例えば図３に示すようストッキング１では開口部１２の最もかかと側の端縁部分をやや鋭角に形成しているが、これはもう��し前寄りにして丸く形成してもよい。また、ストッキング１では開口部１１，１２を隔てる端縁１３を親指と人差し指の付け根に配置する構成となっているが、これは例えば人差し指と中指の付け根としたり、他の指の付け根部分に延在させる構成としてもよい。
【実施例２】
【００１８】  図４は、本考案にかかるストッキングの第２実施例の構成を示す図である。本図には、足裏部分のみを示す。本実施例のストッキング２は、親指を出す第１の開口部２１と、残りの指を出す第２の開口部２２と、これらの間に設けられ足裏側に大きく開口する第３の開口部２３とを具えている。このこのストッキング２の足の甲側の構成は、図２に示す第１実施例とほぼ同じとなる。このように構成しても、着用時の足先の外観を美しく見せることができる。
【実施例３】
【００１９】  図５は、本考案にかかるストッキングの第３実施例の構成を示す図である。図５（ａ）が足の甲側、図５（ｂ）が足の裏側を示す。図５（ｂ）を用いて説明すると、本実施例のストッキング３は足先部分において３つの開口部３１，３２，３３を具えており、外側に位置する第１および第３の開口部３１，３３の側部外側端縁３１ａ，３３ａが、足指の付け根よりかかと側に斜めに延在している。中央に位置する開口部３２は、足裏部分においてかかと側に大きく拡がっている。第１の開口部３１と第２の開口部３２を隔てる端縁３４は親指と人差し指の間に配置され、第２の開口部３２と第３の開口部３３を隔てる端縁３５は人差し指と薬指の間に配置される。【００２０】  このように構成しても、図６（ａ）に示すように、外側に位置する第１および第３の開口部３１，３３の端縁３１ａ，３３ａが斜め後ろ方向に延在しているため、足指を足の甲部分から大きく見せることができ、すなわち足指を長く見せることができ、着用時に足先を美しく見せることができる。また、中央にある第２の開口部３２を足裏側に大きく延在させたため、着用時に足裏を直に靴の中敷きや床面に接触させることができ、前に荷重が過度にかかったりスリップによる転倒を防止することができる。【００２１】  なお、本実施例のストッキング３の場合も、上述したようなバリエーションとして構成することができる。すなわち、第２の開口３２は足裏側に大きく延在させずに、足の人差し指の付け根部分のみを通す大きさであってもよい。また、開口部３１−３３を隔てる端縁３４，３５は、他の指の付け根に配置する構成であってもよい。ストッキング３はふくらはぎまでの短いタイプとしてもよいし、足の付け根までの長いタイプとしてもよく、さらに両足部分を連結するパンティ部分を具えるパンティストッキングとして構成してもよい。また、本考案は開口部の数を限定するものではなく、最も右側と左側の開口部の側部外側端縁がかかと側に延在する構成であれば開口部を４つあるいはそれ以上としてもよい。
【産業上の利用可能性】
【００２２】  本考案は、靴下やストッキングなどの製造業、繊維業に利用することができる。
【図面の簡単な説明】
【００２３】
【図１】  第１実施例にかかるストッキング１の構成を示す斜視図である。
【図２】  第１実施例のストッキング１の着用状態を前から見た図である。
【図３】  第１実施例のストッキング１の着用状態の足裏部分を示す図である。
【図４】  第２実施例のストッキング２の着用状態の足裏部分を示す図である。
【図５】  第３実施例のストッキング３の着用状態を示す図である。
【符号の説明】
【００２４】１−３      ストッキング
１１，２１，３１  第１の開口部
１２，２２，３２  第２の開口部
３３        第３の開口部
１１ａ，１２ａ，３１ａ，３３ａ  開口部の側部外側端縁
１３，３４，３５  各開口部を隔てる、指の付け根に配置される端縁
【図１】
0003117585.tif 000003
【図２】
0003117585.tif 000004
【図３】
0003117585.tif 000005
【図４】
0003117585.tif 000006
【図５】
0003117585.tif 000007